(57)【要約】    【課題】耳当てがなくても、また、眼鏡レンズのフレームの左右のいずれかの側縁部に支持用の柄を有していなくても、鼻からずり落ちることなく着用することが出来る眼鏡の提供。    【解決手段】眼鏡１は、一対の眼鏡レンズ２、フレーム３、一対の鼻パッド４、一対の鼻パッド取付部５、及び一対の防滑部６を備える。鼻パッド４の鼻側の平面には、この平面と同一形状の防滑部６が粘着されている。防滑部６は、鼻パッド粘着層、基部層、鼻粘着層及び剥離層を備える。鼻パッド粘着層は、粘着材を含み、鼻パッド４に粘着される。鼻粘着層は、粘着材を含み、鼻に粘着される。【選択図】図１
0003113187.tif 000002
【実用新案登録請求の範囲】
【請求項１】
一対の眼鏡レンズと、
該眼鏡レンズを橋絡する橋梁部と、
上記眼鏡レンズの鼻側に設けられた鼻パッドと、
該鼻パッドに設けられており、鼻に当接され、滑り落ちを抑止するための防滑手段と
を備える眼鏡。
【請求項２】
上記眼鏡レンズの周縁部の一部又は全部に設けられたリム
を備える請求項１に記載の眼鏡。
【請求項３】
上記防滑手段が、
基部層と、
該基部層の一面に設けられており、粘着材を含み、上記鼻パッドに粘着される鼻パッド粘着層と、
上記基部層の他面に設けられており、粘着材を含み、鼻に粘着される鼻粘着層と
を備える請求項１又は２に記載の眼鏡。
【請求項４】
上記鼻粘着層の外面を被覆しており、使用時に剥がされる剥離層を備える請求項３に記載の眼鏡。
【請求項５】
一対の眼鏡レンズ、
該眼鏡レンズを橋絡する橋梁部
及び
上記眼鏡レンズの鼻側に設けられた鼻パッドを備える眼鏡と、
テープ本体、
該テープ本体の両面にそれぞれ設けられており、粘着材を含む、二層の粘着層
及び
各粘着層の外面を被覆しており、使用時に剥がされる、二層の剥離層を有する粘着テープと
の組み合わせ。
【考案の詳細な説明】
【技術分野】
【０００１】
本考案は、耳当てがなくても、鼻からずり落ちない眼鏡に関する。
【背景技術】
【０００２】
美容院で髪の毛にパーマをかけてもらったり、カットしてもらう場合に、眼鏡を掛け、その耳当てが耳に掛けられていると、作業が出来ないので、眼鏡を外す必要がある。作業中に、時間を潰すために雑誌や新聞がよく読まれるが、近眼や老眼の者は、眼鏡を掛けることが出来ないので雑誌等を読むのが困難になる。
【０００３】
実開平３−５８６１６号公報には、耳当てを有さず、眼鏡レンズのフレームの左右のいずれかの側縁部に支持用の柄が設けられている眼鏡の考案について開示されている。
【特許文献１】実開平３−５８６１６号公報
【考案の開示】
【考案が解決しようとする課題】
【０００４】
しかし、上記眼鏡においては、柄を持たなければならないので片手がふさがり、雑誌等を支えたり、ページをめくるのがしにくく、手もだるくなるという問題がある。
【０００５】
本考案の目的は、耳当てがなくても、また、眼鏡レンズのフレームの左右のいずれかの側縁部に支持用の柄を有していなくても、鼻からずり落ちることなく着用することが出来る眼鏡及び眼鏡と粘着テープとの組み合わせの提供にある。
【課題を解決するための手段】
【０００６】
本考案に係る眼鏡は、
（１）一対の眼鏡レンズ、
（２）眼鏡レンズを橋絡する橋梁部、
（３）眼鏡レンズの鼻側に設けられた鼻パッド、
及び
（４）鼻パッドに設けられており、鼻に当接され、滑り落ちを抑止するための防滑手段
を備える。
【０００７】
好ましくは、眼鏡レンズの周縁部の一部又は全部に設けられたリムを備える。
【０００８】
好ましくは、上記防滑手段が、
（１）基部層、
（２）基部層の一面に設けられており、粘着材を含み、上記鼻パッドに粘着される鼻パッド粘着層
及び
（３）基部層の他面に設けられており、粘着材を含み、鼻に粘着される鼻粘着層
を備える。
【０００９】
好ましくは、鼻粘着層の外面を被覆しており、使用時に剥がされる剥離層を備える。
【００１０】
本考案は、
（１）一対の眼鏡レンズ、該眼鏡レンズを橋絡する橋梁部、及び上記眼鏡レンズの鼻側に設けられた鼻パッドを備える眼鏡
（２）テープ本体、該テープ本体の両面にそれぞれ設けられており、粘着材を含む、二層の粘着層、及び各粘着層の表面を被覆しており、使用時に剥がされる、二層の剥離層を有する粘着テープ
の組み合わせである。
【考案の効果】
【００１１】
本考案の眼鏡によれば、耳当てがなくても、また、眼鏡レンズのフレームの左右のいずれかの側縁部に支持用の柄を有していなくても、鼻からずり落ちることなく眼鏡が着用され得る。従って、美容院で髪の毛にパーマをかけてもらったり、カットしてもらう場合に、眼鏡を掛けることが可能になる。また、手で眼鏡を支持する必要がないので、雑誌や新聞を読むときにこれらを安定的に支持したりページをめくることが可能になる。
【００１２】
また、本考案によれば、鼻パッドの形状及び大きさに合わせて、粘着テープが切り取られ、粘着テープの一方の剥離層が剥がされて鼻パッドの外面に粘着層が粘着され、この状態で、他方の剥離層が剥がされて、他方の粘着層が鼻の付け根部に押圧されて粘着されることで、眼鏡が鼻の付け根部に固定される。
【考案を実施するための最良の形態】
【００１３】
以下、適宜図面が参照されつつ、好ましい実施形態に基づいて本考案が詳細に説明される。
【００１４】
図１は、本考案の一実施形態に係る眼鏡１が示された平面図である。この眼鏡１は、一対の眼鏡レンズ２、フレーム３、一対の鼻パッド４、一対の鼻パッド取付部５、及び一対の防滑部６を備える。フレーム３は、眼鏡レンズ２の周縁部に沿わせて設けられており、一対の眼鏡レンズ２は、フレーム３の橋梁部３ａにより橋絡されている。平板状の鼻パッド４は、鼻パッド取付部５を介してフレーム３の鼻側に取り付けられている。鼻パッド４の鼻側の平面には、この平面と同一形状の防滑部６が粘着されている。眼鏡レンズ２の材料としては、ポリスチレン、スチレン共重合体、ポリメチルメタクリレート等のプラスチックが挙げられ、フレーム３の材料としては、セルロースアセテート、ポリメチルメタクリレート樹脂等のプラスチック、及びチタン、チタン合金、Ａｌ合金、Ｍｇ合金等の軽合金が挙げられ、眼鏡レンズ２もフレーム３もともに軽量である。
【００１５】
図２は、防滑部６が示された一部拡大縦断面図である。防滑部６は、鼻パッド粘着層６１、基部層６２、鼻粘着層６３及び剥離層６４を備える。鼻パッド粘着層６１は、粘着材を含み、鼻パッド４に粘着される。鼻粘着層６３は、粘着材を含み、鼻に粘着される。鼻パッド粘着層６１及び鼻粘着層６３は、基部層６２の両面に、それぞれ設けられている。剥離層６４は、鼻粘着層６３の裏面に設けられている。
【００１６】
基部層６２の材質は、特に制限されるものではないが、和紙、クラフト紙等の紙、織布、不織布等の布及び各種合成樹脂フィルムが用いられ得る。基部層６２が紙である場合、紙基材としては、普通紙、コート紙、アート紙、パルプにマニラ麻、化繊等を混ぜたものが例示される。基部層６２が布である場合、布の材料としては、綿、レーヨン、ポリエステル、アセテートが例示される。用いられる基部層６２は、ある程度の形状保持性を備えているのが好ましい。布や紙で皺が生じやすく過度に柔軟なものは、粘着材との組み合わせにより使用可能である場合があるが、汎用性が低い。
【００１７】
薄くても強度と形状保持性とが高いという面から、基部層６２に合成樹脂フィルムがより好適に用いられる。基部層６２に用いられる樹脂フィルムの材料に特に制限はない。用いられる基部層６２の基材としては、ポリエチレン、ポリプロピレン等のオレフィン系樹脂、ポリスチレン等のスチレン系樹脂、ポリアミド、ポリエーテルブロックアミド共重合体等のアミド系樹脂、エチレン−酢酸ビニル共重合体、ポリ塩化ビニル系樹脂、ポリエステル、ポリエチレンテレフタレート、ポリブチレンテレフタレート等のエステル系樹脂、ポリエステル系ポリウレタン、ポリエーテル系ポリウレタン等のウレタン系樹脂及びポリフルオロカーボン系樹脂が例示される。中でも、入手性及びコスト等の面から、ポリエチレン、ポリプロピレン及びポリエステルが好ましい。この基部層６２用の樹脂の重合度は、貼付剤の基材に通常使用されている程度の重合度が好ましい。
【００１８】
鼻パッド粘着層６１及び鼻粘着層６３は、剥離可能な粘着力を備えており、いわゆる再粘着性を備える。鼻パッド粘着層６１及び鼻粘着層６３の粘着材を構成する基材としては、ゴム系ポリマー又は合成樹脂が用いられる。合成樹脂としては、ポリオレフィン系樹脂及びアクリル系樹脂が主に用いられる。ポリオレフィン系樹脂としては、樹脂中に粘着付与剤が加えられたものが用いられる。この粘着付与剤としては、ミネラルオイル、ポリブテン、ポリイソブチレン、液状ポリアクリレート、ラノリン等の可塑剤オイル、ロジン系樹脂、テルペン系樹脂、石油系樹脂等の粘着付与樹脂が例示される。
【００１９】
基材ポリマーの主成分として、アクリル系樹脂が用いられる場合、例えばアクリル系樹脂と他の樹脂との共重合体、アクリル系共重合体のゲル化架橋体、及び架橋されたアクリル系重合体粒子のエマルジョンが挙げられる。上記共重合体として、例えば、アクリル酸アルキルエステル系単量体を主成分とする重合体と、酢酸ビニル、アクリル酸メチル、メタクリル酸メチル、スチレン、アクリロニトリル等のいずれかを主成分とする重合体とのブロック共重合体がある。上記ゲル化架橋体として、アクリル酸アルキルエステル単量体とカルボキシル基含有ラジカル重合性単量体とのアクリル系樹脂共重合体が、カルボキシル基と反応する官能基を有する架橋剤によりゲル化されたものがある。上記エマルジョンとして、表層部と内部とが架橋されたアクリル系樹脂粒子を含有する合成樹脂エマルジョンが挙げられる。
【００２０】
鼻パッド粘着層６１及び鼻粘着層６３ともに同じ粘着材が用いられてもよい。鼻粘着層６３の粘着材は、親水性を備えている方が、鼻になじみやすく、滑りにくく、鼻の脂分により鼻粘着層６３が膨潤して剥離することがないので、好ましい。親水性粘着材として、例えばポリアクリル酸とポリアクリル酸塩との金属架橋体がある。粘着性及び接触感の面から、ポリアクリル酸又はポリアクリル酸塩の重量平均分子量が１万以上５００万以下程度であるのが好ましい。平均分子量が異なるポリアクリル酸及びその塩を２種以上組み合わせると、良好な粘着力と使用感とが得られる。なお、通常のアクリル酸を重合して得られた重合体のほか、アクリル酸重合体を一部架橋したものも好適に使用され得る。
【００２１】
ポリアクリル酸塩としては、例えば、ポリアクリル酸ナトリウム等のポリアクリル酸の一価金属塩、ポリアクリル酸モノエタノールアミン等のポリアクリル酸のアミン塩、ポリアクリル酸のアンモニウム塩等が用いられる。粘着材の使用感向上のため、上記基材ポリマーにカルボキシメチルセルロースのアルカリ金属塩、ヒドロキシメチルセルロース等のセルロース誘導体が添加されてもよい。水酸基、カルボキシル基又はアミノ基を有するアクリル系粘着材中にエポキシ基を有するポリマー粒状物が分散されてなるものも用いられ得る。アクリル樹脂を含む親水性粘着材として、具体的には、商品名「液体ゴム」（ユタカメイク（株）製）が使用感が良好である点から好適に用いられ得る。
【００２２】
鼻パッド粘着層６１及び鼻粘着層６３は、基部層６２に、前述の粘着材が塗布されることにより形成される。粘着材の塗布は、ローラー、ドクターブレード等による展べ塗り、吹きつけ、浸漬等の公知の塗布方法でなされ得る。
【００２３】
剥離層６４は、鼻粘着層６３を覆い、必要なときに剥離出来る材質であれば、特に制限されない。剥離層６４は、通常、基部層６２と同様の材質が用いられる。セロファン、油紙等も用いられ得る。剥離層６４の厚みは、上記基部層６２の厚みよりも薄くてもよい。
【００２４】
この眼鏡１が使用される場合、防滑部６の剥離層６４が剥がされ、鼻粘着層６３が鼻の付け根部に押圧されて粘着され、眼鏡１がこの鼻の付け根部に固定される。従って、眼鏡１に耳当てがなくても、また、フレーム３の左右のいずれかの側縁部に支持用の柄を有していなくても、眼鏡１が鼻からずり落ちることなく着用され得る。よって、美容院で髪の毛にパーマをかけてもらったり、カットしてもらう場合に、この眼鏡１を掛けることが出来る。また、手で眼鏡を１支持する必要がないので、雑誌や新聞を読むときに安定的にこれらを支持したりページをめくることが可能になる。
【００２５】
なお、上記実施形態においては、フレーム３が一対の眼鏡レンズ２の周縁部を囲繞する場合につき説明されているがこれに限定されるものではなく、眼鏡レンズの周縁部の一部にリムが設けられているものであってもよく、このリムも有していなくてもよい。また、防滑部６は、剥離層６４を備えていなくてもよい。そして、防滑部６は、上記実施形態において説明した、複数の層からなるものに限定されず、ゴム組成物等であってもよい。
【００２６】
図３は、本考案の他の実施形態に係る眼鏡１１が示された平面図、図４は、本考案の他の実施形態に係る粘着テープ７が示された平面図、図５は図４の粘着テープ７の一部拡大縦断面図である。この眼鏡１１は、一対の眼鏡レンズ１２、フレーム１３、一対の鼻パッド１４及び一対の鼻パッド取付部１５を備える。フレーム１３は、眼鏡レンズ１２の周縁部に沿わせて設けられており、一対の眼鏡レンズ１２は、フレーム１３の橋梁部１３ａにより橋絡されている。平板状の鼻パッド１４は、鼻パッド取付部１５を介してフレーム１３の鼻側に取り付けられている。眼鏡レンズ１２の材料としては、ポリスチレン、スチレン共重合体、ポリメチルメタクリレート等のプラスチックが挙げられ、フレーム１３の材料としては、セルロースアセテート、ポリメチルメタクリレート樹脂等のプラスチック、及びチタン、チタン合金、Ａｌ合金、Ｍｇ合金等の軽合金が挙げられる。眼鏡レンズ１２もフレーム１３もともに軽量である。
【００２７】
粘着テープ７は、短冊状であり、剥離層７１、粘着層７２、基部層７３、粘着層７４及び剥離層７５を備える。基部層７３の両面に、粘着材を含む粘着層７２及び粘着層７３がそれぞれ設けられている。粘着層７２の外面には剥離層７１が設けられ、粘着層７４の外面には剥離層７５が設けられている。
【００２８】
基部層７３の材質は、特に制限されるものではないが、図１の防滑部６と同様に、和紙、クラフト紙等の紙、織布、不織布等の布及び各種合成樹脂フィルムが用いられ得る。用いられる基部層７３は、ある程度の形状保持性を備えているのが好ましい。
【００２９】
薄くても強度と形状保持性とが高いという面から、基部層７３に合成樹脂フィルムがより好適に用いられる。この合成樹脂としては、特に制限されるものではないが、入手性及びコスト等の面から、ポリエチレン、ポリプロピレン及びポリエステルが好ましい。
【００３０】
粘着層７２及び粘着層７４は、剥離可能な粘着力を備えており、いわゆる再粘着性を備える。粘着層７２及び粘着層７４の粘着材を構成する基材としては、ゴム系ポリマー又は合成樹脂が用いられる。合成樹脂としては、ポリオレフィン系樹脂及びアクリル系樹脂が主に用いられる。ポリオレフィン樹脂としては、樹脂中に粘着付与剤が加えられたものが用いられる。この粘着付与剤としては、ミネラルオイル、ポリブテン、ポリイソブチレン、液状ポリアクリレート、ラノリン等の可塑剤オイル、ロジン系樹脂、テルペン系樹脂、石油系樹脂等の粘着付与樹脂が例示される。
【００３１】
基材ポリマーの主成分としてアクリル系樹脂が用いられる場合、例えばアクリル系樹脂と他の樹脂との共重合体、アクリル系共重合体のゲル化架橋体、及び架橋されたアクリル系重合体粒子のエマルジョンとして用いられる。上記共重合体として、例えば、アクリル酸アルキルエステル系単量体を主成分とする重合体と、酢酸ビニル、アクリル酸メチル、メタクリル酸メチル、スチレン、アクリロニトリル等のいずれかを主成分とする重合体とのブロック共重合体がある。ゲル化架橋体として、アクリル酸アルキルエステル単量体とカルボキシル基含有ラジカル重合性単量体とのアクリル系樹脂共重合体が、カルボキシル基と反応する官能基を有する架橋剤によりゲル化されたものがある。上記エマルジョンとしては、表層部と内部とが架橋されたアクリル系樹脂粒子を含有する合成樹脂エマルジョンが挙げられる。
【００３２】
粘着層７２及び粘着層７４は、ともに同じ粘着材が用いられてもよい。鼻に粘着される方の粘着層７４の粘着材は、親水性を備えている方が、鼻になじみやすく、滑りにくく、鼻の脂分により粘着層７４が膨潤して剥離することがないので、好ましい。親水性粘着材として、例えばポリアクリル酸とポリアクリル酸塩との金属架橋体がある。通常のアクリル酸を重合して得られた重合体のほか、アクリル酸重合体を一部架橋したものも好適に使用され得る。
【００３３】
ポリアクリル酸塩としては、例えば、ポリアクリル酸ナトリウム等のポリアクリル酸の一価金属塩、ポリアクリル酸モノエタノールアミン等のポリアクリル酸のアミン塩、ポリアクリル酸のアンモニウム塩等が用いられる。粘着材の使用感向上のため、上記基材ポリマーにカルボキシメチルセルロースのアルカリ金属塩、ヒドロキシメチルセルロース等のセルロース誘導体が添加されてもよい。水酸基、カルボキシル基又はアミノ基を有するアクリル系粘着材中にエポキシ基を有するポリマー粒状物が分散されてなるものも用いられ得る。アクリル樹脂を含む親水性粘着材として、具体的には、商品名「液体ゴム」（ユタカメイク（株）製）が使用感が良好である点から好適に用いられ得る。
【００３４】
粘着層７２及び粘着層７４は、基部層７３に、前述の粘着材が塗布されることにより形成される。粘着材の塗布は、ローラー、ドクターブレード等による展べ塗り、吹きつけ、浸漬等の公知の塗布方法でなされ得る。
【００３５】
剥離層７１及び剥離層７５は、それぞれ粘着層７２及び粘着層７を覆い、使用時に剥離出来る材質であれば、特に制限はない。剥離層７１及び剥離層７５は、通常、基部層７３と同様の材質が用いられる。セロファン、油紙等も用いられ得る。粘着テープ７は、環状芯に巻かれたものであってもよい。
【００３６】
本実施形態においては、眼鏡１１の使用時に、鼻パッド１４の形状及び大きさに合わせて、粘着テープ７が切り取られる。そして、剥離層７１が剥がされ、鼻パッド１４の外面に粘着層７２が粘着される。この状態で、剥離層７５が剥がされて、粘着層７４が鼻の付け根部に押圧されて粘着され、眼鏡１１がこの鼻の付け根部に固定される。従って、眼鏡１１に耳当てがなくても、また、フレーム１３の左右のいずれかの側縁部に支持用の柄を有していなくても、眼鏡１１が鼻からずり落ちることなく着用され得る。よって、美容院で髪の毛にパーマをかけてもらったり、カットしてもらう場合に、この眼鏡１１を掛けることが出来る。また、手で眼鏡１１を支持する必要がないので、雑誌や新聞を読むときに安定的にこれらを支持したりページをめくることが可能になる。
【産業上の利用可能性】
【００３７】
本考案の眼鏡は、美容院以外においても、高齢者が近くのものを見たり、近視の者が遠くのものを見る場合にも用いられ得る。
【図面の簡単な説明】
【００３８】
【図１】図１は、本考案の一実施形態に係る眼鏡が示された平面図である。
【図２】図２は、図１の防滑部の一部拡大縦断面図である。
【図３】図３は、本考案の他の実施形態に係る眼鏡が示された平面図である。
【図４】図４は、本考案の他の実施形態に係る粘着テープが示された平面図である。
【図５】図５は、図４の粘着テープが示された一部拡大縦断面図である。
【符号の説明】
【００３９】
１、１１・・・眼鏡
２、１２・・・眼鏡レンズ
３、１３・・・フレーム
４、１４・・・鼻パッド
５、１５・・・鼻パッド取付部
６・・・防滑部
６１・・・鼻パッド粘着層
６２・・・基部層
６３・・・鼻粘着層
６４・・・剥離層
７・・・粘着テープ
７１、７５・・・剥離層
７２、７４・・・粘着層
７３・・・基部層
【図１】
0003113187.tif 000003
【図２】
0003113187.tif 000004
【図３】
0003113187.tif 000005
【図４】
0003113187.tif 000006
【図５】
0003113187.tif 000007